(57)【要約】  本明細書の実施形態は、制御エンティティによって実行されるモビリティ実施のための方法に関する。この方法は、無線通信デバイス（ＷＣＤ）によって送信された第１の制御プレーンを受信することと、第１の制御プレーンメッセージを受信したことに応じて、ＷＣＤのモビリティ情報を取得することを含む。ＷＣＤのモビリティ情報は、１つ以上の許可領域の組と、１つ以上の許可無線アクセス技術（ＲＡＴ）の組と、１つ以上のアクセスポイントの組と、の少なくとも１つを識別する。方法は更に、レスポンスメッセージをＷＣＤに送信することを含み、レスポンスメッセージは、許可領域の組と、許可ＲＡＴの組と、１つ以上のアクセスポイントの組と、の少なくとも１つを識別する。  本明細書の実施形態は、方法を実行する制御エンティティ、無線通信デバイス（ＷＣＤ）によって実行される対応する方法、および対応するＷＣＤに関する。【選択図】  図１
2019515554.tif 000002
【特許請求の範囲】
【請求項１】
制御エンティティによって実行されるモビリティの実施のための方法であって、前記方法は、
無線通信デバイス（ＷＣＤ）によって送信された第１の制御プレーンメッセージを受信することと、
前記第１の制御プレーンメッセージを受信したことに応じて、
前記ＷＣＤのモビリティ情報を取得することであって、前記ＷＣＤの前記モビリティ情報は、１つ以上の許可領域の組と、１つ以上の許可無線アクセス技術（ＲＡＴ）の組と、１つ以上のアクセスポイントの組と、の少なくとも１つを識別する、取得することと、
前記ＷＣＤにレスポンスメッセージを送信することであって、前記レスポンスメッセージは、前記許可領域の組と、前記許可ＲＡＴの組と、前記１つ以上のアクセスポイントの組と、の少なくとも１つを識別する、送信することと、
を含む手続きを実行する、方法。
【請求項２】
請求項１に記載の方法であって、前記第１の制御プレーンメッセージは、パケット・データ・ネットワーク（ＰＤＮ）接続リクエスト有り又は無しのアタッチリクエスト、トラッキング領域アップデート（ＴＡＵ）、又はサービスリクエストである、方法。 
【請求項３】
請求項１または２に記載の方法であって、前記ＷＣＤの前記モビリティ情報は、許可されるトラッキングエリア（ＴＡ）、セル、無線アクセスネットワーク（ＲＡＮ）、カバレージエリア、および、アクセスポイントの少なくともいずれかをリストするホワイトリスト、又は、禁止されたＴＡ、セル、ＲＡＮカバレージエリア、およびアクセスポイントの少なくともいずれかをリストするブラックリストである、方法。
【請求項４】
請求項１から３のいずれか１項に記載の方法であって、前記１つ以上の許可領域は、１つ以上のＴＡ、１つ以上のセル、又は１つ以上のアクセスノードのカバレージエリアを含む、方法。
【請求項５】
請求項１から４のいずれか１項に記載の方法であって、前記ＷＣＤの前記モビリティ情報を取得することの前記ステップは、ポリシーノードから承認済モビリティ情報を取得することを含む、方法。
【請求項６】
請求項５に記載の方法であって、前記ポリシーノードから前記承認済モビリティ情報を取得することの前記ステップは、
前記ＷＣＤに関連付けられた加入者情報を取得することであって、前記加入者情報はベースラインモビリティ情報を含む、取得することと、
前記承認済モビリティ情報に対するリクエストを前記ポリシーノードにフォワードすることであって、前記承認済モビリティ情報に対する前記リクエストは前記取得された加入者情報を含み、前記ポリシーノードは前記承認済モビリティ情報を生成するように構成される、フォワードすることと、
前記ポリシーノードから前記承認済モビリティ情報を受信することと、を含む、方法。
【請求項７】
請求項６に記載の方法であって、前記ポリシーノードは、ポリシーとコンテキスト情報とを用いて承認済モビリティ情報を選択することによって、前記承認済モビリティ情報を生成するように構成される、方法。
【請求項８】
請求項１から４のいずれか１項に記載の方法であって、前記ＷＣＤの前記取得されたモビリティ情報はベースラインモビリティ情報であり、
前記モビリティ情報を取得することの前記ステップは前記ＷＣＤの加入者情報を取得することを含む、方法。
【請求項９】
請求項８に記載の方法であって、前記加入者情報はベースラインモビリティ情報を含む、方法。
【請求項１０】
請求項８又は９に記載の方法であって、前記ＷＣＤの前記モビリティ情報を取得することの前記ステップは更に、ポリシーノードに、前記ＷＣＤの前記取得された加入者情報を送信し、その後、前記ＷＣＤの前記モビリティ情報を前記ポリシーノードから受信することを含む、方法。
【請求項１１】
請求項６、８または１０に記載の方法であって、前記加入者情報は、
ベースライン・モビリティ・マネージメント（ＭＭ）クラスの予め定められた組の１つを識別するＭＭ情報と、
ベースライン・セッション・マネージメント（ＳＭ）クラスの予め定められた組の１つを識別するＳＭ情報と、を含む、方法。
【請求項１２】
請求項１１に記載の方法であって、前記ＷＣＤの前記モビリティ情報は、
承認済ＭＭクラスを識別するＭＭ情報と、
１つ以上の承認済ＳＭクラスを識別するＳＭ情報と、を含む、方法。
【請求項１３】
請求項５、６、１１および１２のいずれか１項に記載の方法であって、前記方法は更に、 
前記ポリシーノードが、前記ＷＣＤのために現在セットアップされているＰＤＮ接続の承認済ＳＭクラスを選択することを含み、
前記モビリティ情報は前記ＰＤＮ接続のために前記選択されたＳＭクラスを識別するＳＭクラス識別子を含む、方法。
【請求項１４】
請求項１３に記載の方法であって、前記ＷＣＤのために現在セットアップされているＰＤＮ接続の承認済ＳＭクラスを選択することの前記ステップは、コンテキスト情報に基づく前記選択を実行することを含む、方法。
【請求項１５】
請求項７または１４に記載の方法であって、前記コンテキスト情報は、 
前記ＷＣＤの位置を識別する位置情報、および現在時刻を識別する時刻情報の１つ以上を含む、方法。
【請求項１６】
請求項１から１５のいずれか１項に記載の方法であって、前記手続きは更に、
前記ＷＣＤに現在サービングするＲＡＮノードに、前記許可領域の組と、前記許可ＲＡＴの組と、前記１つ以上のアクセスポイントの組との少なくとも１つを識別するメッセージを送信すること、を含む、方法。
【請求項１７】
請求項１から１６のいずれか１項に記載の方法であって、
前記ＷＣＤは、少なくとも１つのＰＤＮ接続を現在使用しており、前記ＰＤＮ接続は、１つ以上のパケット・データ・ユニット（ＰＤＵ）セッションの組と関連付けられ、
前記ＷＣＤの前記取得されたモビリティ情報は、前記ＰＤＮ接続のための承認済ＳＭクラスを含み、
前記手続きは更に、
前記ＰＤＮ接続の前記ＳＭクラスが前記承認済ＳＭクラスであるかを判定することと、
前記ＰＤＮ接続の前記ＳＭクラスが前記承認済ＳＭクラスであるかを判定した結果として、モビリティにおけるリソースのプレセットアップが前記ＰＤＵセッションのいずれにも要求されないことを示すメッセージを、ＲＡＮノードに送信することと、を含む、方法。
【請求項１８】
請求項１７に記載の方法であって、更に、 
接続モードである前記ＷＣＤから、リソースのプレセットアップの対象でないＳＭクラスに割り当てられるベアラのセットアップのためのリクエストを受信することを含む、方法。
【請求項１９】
請求項１１に記載の方法であって、ＭＭクラスの前記予め定められた組は、
（ｉ）無制限モビリティクラス、（ｉｉ）中間モビリティクラス、（ｉｉｉ）低モビリティクラス、および（ｉｖ）モビリティ無しクラス、の１つ以上を含む、方法。
【請求項２０】
請求項１１に記載の方法であって、ＳＭクラスの前記予め定められた組は、（ｉ）シームレス連続クラス、（ｉｉ）サービス連続クラス、（ｉｉｉ）セッション連続クラス、および（ｉｖ）ＰＤＮ接続無しクラス、の１つ以上を含む、方法。
【請求項２１】
請求項１から２０のいずれか１項に記載の方法であって、前記制御エンティティは制御ノードである、方法。 
【請求項２２】
請求項１から２１のいずれか１項に記載の方法を実行するように構成される制御エンティティ。
【請求項２３】
請求項２３に記載の制御エンティティであって、前記制御エンティティは制御ノードである、制御エンティティ。
【請求項２４】
請求項１から２１のいずれか１項に記載の方法を実行する命令を含むコンピュータプログラム。
【請求項２５】
無線通信デバイス（ＷＣＤ）によって実行されるモビリティの実施のための方法であって、前記方法は、 
第１の制御プレーンメッセージを制御エンティティに送信することと、
レスポンスメッセージを前記制御エンティティから取得することであって、前記レスポンスメッセージは、前記ＷＣＤのモビリティ情報を含み、前記ＷＣＤのモビリティ情報は、前記許可領域の組と、前記許可ＲＡＴの組と、前記１つ以上のアクセスポイントの組と、の少なくとも１つを識別する、方法。
【請求項２６】
請求項２５に記載の方法であって、前記第１の制御プレーンメッセージは、パケット・データ・ネットワーク（ＰＤＮ）接続リクエスト有り又は無しのアタッチリクエスト、トラッキング領域アップデート（ＴＡＵ）、又はサービスリクエストである、方法。
【請求項２７】
請求項２５または２６に記載の方法であって、前記モビリティ情報は、許可されるトラッキングエリア（ＴＡ）、セル、無線アクセスネットワーク（ＲＡＮ）カバレージエリア、および、アクセスポイントの少なくともいずれかをリストするホワイトリスト、又は、禁止されたＴＡ、セル、ＲＡＮカバレージエリア、およびアクセスポイントの少なくともいずれかをリストするブラックリストである、方法。
【請求項２８】
請求項２５から２７のいずれか１項に記載の方法であって、前記１つ以上の許可領域は、１つ以上のＴＡ、１つ以上のセル、又は１つ以上のアクセスノードのカバレージエリアを含む、方法。
【請求項２９】
請求項２５から２８のいずれか１項に記載の方法であって、前記ＷＣＤの前記モビリティ情報は、ポリシーノードから取得された承認済モビリティ情報を含む、方法。
【請求項３０】
請求項２５から２９のいずれか１項に記載の方法であって、前記ＷＣＤの前記モビリティ情報はベースラインモビリティ情報であり、
前記ＷＣＤのモビリティ情報は更に、加入者情報を含む、方法。
【請求項３１】
請求項３０に記載の方法であって、前記加入者情報はベースラインモビリティ情報を含む、方法。
【請求項３２】
請求項３０または３１に記載の方法であって、前記加入者情報は、
ベースライン・モビリティ・マネージメント（ＭＭ）クラスの予め定められた組の１つを識別するＭＭ情報と、
ベースライン・セッション・マネージメント（ＳＭ）クラスの予め定められた組の１つを識別するＳＭ情報と、を含む、方法。
【請求項３３】
請求項３２に記載の方法であって、前記ＷＣＤの前記モビリティ情報は、
承認済ＭＭクラスを識別するＭＭ情報と、
１つ以上の承認済ＳＭクラスを識別するＳＭ情報と、を含む、方法。
【請求項３４】
請求項３２または３３に記載の方法であって、前記ＷＣＤの前記モビリティ情報は、更に、前記ＷＣＤの現在セットアップされた前記ＰＤＮ接続の承認済ＳＭクラスを識別するＳＭクラス識別子を含む、方法。
【請求項３５】
請求項２５から３４のいずれか１項に記載の方法であって、前記ＷＣＤは接続モードであって、前記方法は更に、
リソースのプレセットアップの対象でないＳＭクラスに割り当てられるベアラのセットアップのためのリクエストを、前記制御エンティティに送信することを含む、方法。
【請求項３６】
請求項２５から３５のいずれか１項に記載の方法であって、
前記ＷＣＤは、少なくとも１つのＰＤＮ接続を現在使用しており、前記ＰＤＮ接続は、１つ以上のパケット・データ・ユニット（ＰＤＵ）セッションの組と関連付けられ、 
前記ＷＣＤの前記モビリティ情報は、前記ＰＤＮ接続の承認済ＳＭクラスを含む、方法。
【請求項３７】
請求項３２に記載の方法であって、ＭＭクラスの前記予め定められた組は、
（ｉ）無制限モビリティクラス、（ｉｉ）中間モビリティクラス、（ｉｉｉ）低モビリティクラス、および（ｉｖ）モビリティ無しクラス、の１つ以上を含む、方法。
【請求項３８】
請求項２０に記載の方法であって、ＳＭクラスの前記予め定められた組は、（ｉ）シームレス連続クラス、（ｉｉ）サービス連続クラス、（ｉｉｉ）セッション連続クラス、および（ｉｖ）ＰＤＮ接続無しクラス、の１つ以上を含む、方法。
【請求項３９】
請求項２５から３８のいずれか１項に記載の方法であって、前記制御エンティティは制御ノードである、方法。
【請求項４０】
請求項２５から３９のいずれか１項に記載の方法を実行するように構成される無線通信デバイス（ＷＣＤ）。
【発明の詳細な説明】
【技術分野】
【０００１】
以下では、例えば、モビリティ・オン・デマンド実施のための方法およびネットワークノードが開示される。
【背景技術】
【０００２】
次世代ネットワークは、異なるレベルのモビリティに対するモビリティ・オン・デマンド（ＭＯＤ）をサポートするソリューションを必要としている。現在のネットワーク技術は、ＭＯＤサービスをほとんど或いは全く提供していない。したがって、ネットワークリソースが非効率的に使用され、それによってネットワーク性能が低下する。異なるレベルのモビリティのサポートの例には、単一のＲＡＮノード内の所定のエリア（ｅノードＢのセルなど）にわたるサポート、単一のＲＡＮノード（ｅノードＢなど）内のサポート、ＵＥ登録エリア（ＥＰＣのＴＡなど）内のサポート、制御プレーンまたはユーザプレーンＣＮエンティティのサービスエリア（ＥＰＣのＭＭＥプールエリアまたはサービングＧＷのサービスエリアなど）のサポート、所定のＲＡＴ内またはＲＡＮレベルの統合されたＲＡＴの組み合わせ（ＬＴＥや５Ｇ ＲＡＴなど）のサポート、２つのアクセス技術間のサポートが含まれる。
【０００３】
図１は、次世代ネットワークの高レベルのネットワークアーキテクチャを示す。高レベルでは、ＵＥは、コアノードおよび無線アクセスノード（ＲＡＮ）を介してデータネットワークに接続される。図２から図４はネットワークアーキテクチャの例を示す。例えば、図１は高レベルの機能的なリファレンスアーキテクチャの例を示し、図２は分散ユーザプレーンの配置と非ローミングアーキテクチャの例を示し、図３はローミング（ホームルーティング）アーキテクチャの例を示す。
【０００４】
ＮＧ加入者データマネージメント（次世代ＳＤＭまたはＳＤＭ）は、オペレータの加入者の情報を格納する加入者情報ストレージノードである。加入者がネットワークに接続すると、加入者情報がＳＤＭから検索される。ローミングのシナリオでは、サービングオペレータはホームオペレータのネットワークにある加入者情報を検索する。
【発明の概要】
【０００５】
現在、サービングノードのサービスエリアの部分のみにおいてＵＥのアクセスをどのように許可するかを扱う、３ＧＰＰにおける効率的な解決策は存在しない。さらに、許可された領域にのみにハンドオーバーを開始するようにＲＡＮにどのように指示するかについての効率的な解決策は存在しない。さらに、どのようにしてＲＡＮにＰＤＵセッションの選択的な組に対してのみハンドオーバーを開始させるように指示するか、または、選択的に接続モードにあるＵＥが未だ接続モードにないＰＤＵセッションに対して接続のセットアップを要求することの解決策は存在しない。ＭＯＤに対して、その目的は、例えば、インターネット・オブ・シングス（Internet of Things）（ＩｏＴ）の固定デバイス、および、より狭いエリア内での固定無線アクセス（ＦＷＡ）デバイスを利用可能にすることであり、これには、既存機能を用いた非常に大規模な構成作業を必要とする。
【０００６】
１つの側面では、モビリティの実施のための方法が提供される。いくつかの実施形態では、方法は、制御ノードが、無線通信デバイス（ＷＣＤ）によって送信される第１の制御プレーンメッセージ（例えば、ＰＤＮ接続リクエスト有りまたは無しのアタッチリクエスト、トラッキング・エリア・アップデート（ＴＡＵ）、サービスリクエスト等）を受信することを含む。方法は更に、第１の制御プレーンメッセージを受信したことに応じて、制御ノードが手続きを実行することを含む。いくつかの実施形態では、手続きは、ＷＣＤのモビリティ情報（例えば、許可トラッキングエリア（ＴＡ）、セル、無線アクセスネットワーク（ＲＡＮ）カバレージエリア、および／またはアクセスポイントをリストするホワイトリスト、または禁止ＴＡ、セル、ＲＡＮカバレージエリア、および／またはアクセスポイントをリストするブラックリスト）を取得することを含み、ＷＣＤのモビリティ情報は、１つ以上の許可領域（１つ以上のＴＡ、１つ以上のセル、１つ以上のアクセスノードのカバレージエリア）の組、１つ以上の許可無線アクセス技術（ＲＡＴ）の組、および１つ以上のアクセスポイントの組、の少なくとも１つを（直接的または間接的）に識別する。手続きは更に、レスポンスメッセージをＷＣＤに送信することを含み、レスポンスメッセージは、許可領域の組と、許可ＲＡＴの組と、１つ以上のアクセスポイントの組と、の少なくとも１つを（直接的または間接的）に識別する。
【０００７】
いくつかの実施形態では、モビリティ情報を取得するステップは、承認済モビリティ情報をポリシーノードから取得することを含む。いくつかの実施形態では、ポリシーノードから承認済モビリティ情報を受信することは、ＷＣＤに関連付けられた加入者情報を取得することであって、ここで加入者情報は、ベースラインモビリティ情報を含む（或いはから成る）、取得することと、承認済モビリティ情報に対するリクエストをポリシーノードにフォワードすることであって、承認済モビリティ情報のリクエストは、加入者情報を取得することを含み、ポリシーノードは承認済モビリティ情報（例えばポリシーノードは、ポリシーとコンテキストの情報とを用いて承認済モビリティ情報を選択することによって、承認済モビリティ情報を生成するように構成される）を生成するように構成される、フォワードすることと、承認済モビリティ情報をポリシーノードから受信することと、を含む。
【０００８】
いくつかの実施形態では、取得されたモビリティ情報はベースラインモビリティ情報であり、モビリティ情報を取得することのステップは、ＷＣＤの加入者情報を取得することを含み、加入者情報はベースラインモビリティ情報を含む。このような実施形態では、モビリティ情報を取得することのステップは更に、ポリシーノードに、ＷＣＤの取得された加入者情報を送信し、その後、モビリティ情報をポリシーノードから受信することを含む。
【０００９】
いくつかの実施形態では、加入者情報は、ベースライン・モビリティ・マネージメント（ＭＭ）クラスの予め定められた組の１つを識別するＭＭ情報と、ベースライン・セッション・マネージメント（ＳＭ）情報クラスの予め定められた組の１つを識別するＳＭ情報とを有し、モビリティ情報は、承認済ＭＭクラスを識別するＭＭ情報と、１つ以上の承認済ＳＭクラスを識別するＳＭ情報とを含む。
【００１０】
いくつかの実施形態では、方法は、更に、ポリシーノードが、ＷＣＤのために現在セットアップされているＰＤＮ接続の承認済ＳＭクラスを選択することを含み、モビリティ情報はＰＤＮ接続のために選択されたＳＭクラスを識別するＳＭクラス識別子を含む。いくつかの実施形態では、ＷＣＤのために現在セットアップされているＰＤＮ接続の承認済ＳＭクラスを選択することのステップは、コンテキスト情報に基づく選択を実行することを含む。コンテキスト情報は、ＷＣＤの位置を識別する位置情報、および現在時刻を識別する時刻情報の１つ以上を含んでよい。
【００１１】
いくつかの実施形態では、手続きは更に、ＷＣＤに現在サービングするＲＡＮノードに、許可領域の組と、許可ＲＡＴの組と、１つ以上のアクセスポイントの組との少なくとも１つを（直接的または間接的に）識別するメッセージを送信すること、を含む。
【００１２】
いくつかの実施形態では、ＷＣＤは、少なくとも１つのＰＤＮ接続を現在使用しており、ＰＤＮ接続は１つ以上のＰＤＵセッションと関連付けられており、取得されたモビリティ情報はＰＤＮ接続の承認済ＳＭクラスを含み、手続きは更に、ＰＤＮ接続のＳＭクラスが特定のＳＭクラスであるかを判定することと、ＰＤＮ接続のＳＭクラスが特定のＳＭクラスであるかを判定したことの結果として、モビリティにおけるリソースのプレセットアップがＰＤＵセッションのいずれにも要求されないことを示すメッセージを、ＲＡＮノードに送信することと、を含む。
【図面の簡単な説明】
【００１３】
添付の図面は、明細書に組み込まれて明細書の一部を形成し、様々な実施形態を示す。
【図１】いくつかの実施形態に従う例示的な無線通信システムを示す。
【図２】いくつかの実施形態に従う例示的な無線通信システムを示す。
【図３】いくつかの実施形態に従う例示的な無線通信システムを示す。
【図４】いくつかの実施形態に従う例示的な無線通信システムを示す。
【図５】いくつかの実施形態に従う例示的な無線通信システムを示す。
【図６】いくつかの実施形態に従う無線通信システムについての例示的シーケンス図を示す。
【図７】いくつかの実施形態に従う無線通信システムについての例示的なシーケンス図を示す。
【図８】いくつかの実施形態に従う無線通信システムについての例示的なシーケンス図を示す。
【図９】いくつかの実施形態に従う無線通信システムについての例示的なシーケンス図を示す。
【図１０】いくつかの実施形態に従う例示的なシーケンス図を示す。
【図１１】いくつかの実施形態に従う例示的なフローチャートを示す。
【図１２】いくつかの実施形態に従う例示的なフローチャートを示す。
【図１３】いくつかの実施形態に従う制御ノードのブロック図である。
【００１４】
図面は必ずしもある割合で拡大されたものではなく、明瞭さのために特定の特徴の寸法は強調され得る。代わりに、以下の実施形態の原理を説明することに重点が置かれている。
【発明を実施するための形態】
【００１５】
いくつかの実施形態によれば、モビリティ・オン・デマンド方式は、地理的基準におけるいくつかの制限を含む。これらの制限は、ＵＥのモビリティサービスを許可し或いは拒否する。しかしながら、いくつかの実施形態は、モビリティの量を制限することがなく、これは、許可されているが小さいエリア内においてモビリティの手続きを頻繁に使用するために、ＵＥが依然としてネットワークに必要な負荷を引き起こすことを意味する。デバイスのモビリティは主に無線状態の変化によって引き起こされ、したがってかなり低い頻度を有するため、モビリティの無いまたは低モビリティのデバイス（例えば、固定デバイスまたはＦＷＡデバイス）は、ネットワークに引き起こす負荷が少ないことが想定されてよい。オペレータは、セッションレベルと組み合わせて、課される地理的制限に基づいて加入者料金を基礎づけるように動機付けされてよい。
【００１６】
ある実施形態では、許可される地理的エリアは降順でサブ領域に分割され得、モビリティマネージメント（ＭＭ）クラスが形成される。いくつかの実施形態では、許可される地理的エリアまたは許可される領域は、これらに限定されないが、1つ以上のＴＡ、１つ以上のセル、または１つ以上のアクセスポイントのカバレージエリアを含む。アクセスポイントのカバレージエリアの例は、基地局またはＷｉ−ＦｉアクセスポイントなどのＲＡＮノードのカバレージエリアである。
【００１７】
ＭＭクラスの例は無制限の（または高い）モビリティクラスであり、これは許可される地理的エリアに制限がない。一例として、レガシーのモバイルブロードバンド（ＭＢＢ）のユーザは、無制限のモビリティクラスが割り当てられ得る。ＭＭクラスの他の例は、中間モビリティクラスであり、これは許可される地理的領域が制限される。例えば、中間モビリティクラスは、ノマディック（nomadic）のＤＳＬ交換（例えば、居住地用に１つのエリアとサマーハウス用に１つのエリア）のために使用され得る。ＭＭクラスの他の例は低モビリティクラスであり、これは中間モビリティクラスに対して許可される地理的領域が更に制限される。例えば、低モビリティクラスは、静止した加入者に対して用いられ得る。無線状態が変化することにより、無線カバレージが変動し、それによってサービングセルまたはＴＡが変化し得る。
したがって、静止したデバイスに対してもいくつかのＴＡが予測され得る。ＭＭクラスの他の例は、モビリティ無しクラスであり、これは許可される地理的エリアが１つの地理的エリアのみに制限される。一例として、モビリティ無しクラスは、固定されたポイントを介してのみ、ネットワークにアクセスするユーザに使用され得る。
【００１８】
実施形態は、異なったセッションサービスレベルのセッションマネージメント（ＳＭ）クラスを含む。接続モードにあるＵＥは、１つ以上のパケット・データ・ネットワーク（ＰＤＮ）接続を有し、各ＰＤＮ接続は、１つ以上のパケット・データ・ユニット（ＰＤＵ）セッションを有する。いくつかの実施形態では、各ＰＤＮ接続は少なくとも１つのＳＭクラスに関連付けられる。
【００１９】
ＳＭクラスの例は、シームレス連続クラスを含み、これは、ＩＰの維持（IP preservation）を伴うＰＤＮ接続のプレセットアップモビリティを特定する。モビリティのプレセットアップの例は、古い制御ノードから新しい制御ノードへのＰＤＮ接続を転送する、古い制御ノードから新しい制御ノードへのＵＥのハンドオーバーを含む。ＩＰの維持の例は、同一のＩＰアンカーポイント（例えば、ＰＧＷ）をハンドオーバーの間に維持することを含む。ＳＭクラスの例は、サービス連続クラスを含み、これは、ＩＰの維持を伴わないプレセットアップモビリティを特定する。ＳＭクラスの他の例は、セッション連続クラスを含み、これは、ＩＰの維持を伴うポストセットアップモビリティを特定する。ポストセットアップモビリティの例は、ある制御ノード（「前の制御ノード」）から別の制御ノード（「新しい制御ノード」）へのＵＥのＴＡＵの後に、ＵＥが特定のＰＤＮ接続をセットアップするためのサービスリクエストを発行することを含む。これらのＰＤＮ接続は、ＵＥが古い制御ノードによってサービスされていた場合、事前に確立されていてもよい。他のＳＭクラスの例は、ＰＤＮ接続無しのＳＭクラスであり、これはＵＥにＰＤＮ接続が許可されないことを特定する。
【００２０】
図５は、ＵＥ５００、ＲＡＮ５０２、制御ノード５０４（ＣＣＦ）、加入者データマネージメント（ＳＤＭ）ノード５０６、およびポリシー制御（ＰＣ）ノード５０８を含む、無線通信システムの実施形態を示している。いくつかの実施形態では、ＵＥは、スマートフォン、タブレット、またはラップトップなどの無線通信デバイス（ＷＣＤ）である。いくつかの実施形態では、ＣＣＦ５０４は、トラフィック処理機能（traffic handling function）（ＴＨＦ）５０４ａおよび制御処理機能（control handling function）制御プレーン（ＣＨＦ−Ｃ）５０４ｂを含む。いくつかの実施形態によれば、ノードまたはネットワークノードという用語は、１つ以上のサービスを提供するようにソフトウェアおよび/またはハードウェアを介して構成される単一コンピューティングデバイス、または、１つ以上のサービスを提供するようにソフトウェアおよび/またはハードウェアを介して共に機能するように構成されるコンピューティングデバイスの組（例えば、クラウドコンピューティングシステム）を参照し得る。例えば、制御ノードのソフトウェアは、単一のコンピュータ上に実装されてもよく、または複数のコンピュータにわたって分散されてもよい。制御ノード５０４、ＳＤＭノード５０６、およびＰＣノード５０８はまた、分かれている別個のノードとして示されているが、この場合に限定されず、単一のノードが各ノードの本明細書に記載される機能を提供するように構成されてもよい。
【００２１】
いくつかの実施形態では、登録時において、ＵＥのベースラインモビリティ情報が制御ノード５０４によってＳＤＭ５０６からフェッチされる。例えば、ＵＥによって送信された、アタッチ要求または他の制御プレーンメッセージなどの制御プレーンメッセージに応じて、制御ノード５０４は、例えば、ＵＥの加入者情報に対する要求をＳＤＭ５０６に送信することによって、ベースラインモビリティ情報を含むＵＥについての加入者情報をＳＤＭ５０６から取得してよい。ベースラインモビリティ情報は、ＵＥのベースラインＭＭクラス、ＵＥによって現在使用されている（または将来使用され得る）各ＰＤＮ接続に適用可能なベースラインＳＭクラス、および、 １つ以上の許可される「エリア」のセットを（直接的または間接的に）識別する情報であるモビリティエリア（ＭＡ）情報の１つ以上を含んでよい。例えば、ＭＡ情報は、１つ以上の許可領域（１つ以上のＴＡ、１つ以上のセル、１つ以上のアクセスノードカバレージエリア）の組、１つ以上の許可無線アクセス技術（ＲＡＴ）の組、および１つ以上のアクセスポイントの組、の少なくとも１つを（直接的または間接的に）識別してよい。ＭＡ情報は、ホワイトリスト（すなわち、各識別子が許可エリアを直接的に識別する識別子の組）またはブラックリスト（すなわち、各識別子が不許可エリアを直接的に識別する識別子の組）の形態であってよい。いくつかの実施形態では、ＭＡ情報はまた、許可エリアのサイズを定義するだけでもよく、それによって許可エリアの実際の位置の動的な構築を可能にする。
【００２２】
いくつかの実施形態では、ベースラインモビリティ情報を取得した後、制御ノード５０４は、可能な調整および動的な変更のために、ＵＥのベースラインモビリティ情報をＰＣノード５０８に送信する。すなわち、例えば、制御ノード５０４は、承認済モビリティ情報に対するリクエストをＰＣノード５０８に送信してもよく、この要求はベースラインモビリティ情報（および可能な場合コンテキスト情報も含む）を含む。要求に応じて、ＰＣノードは、承認済モビリティ情報（例えば、ベースラインＭＭクラスとは異なり得るＵＥの承認済ＭＭクラス、それぞれがベースラインのＳＭクラスとは異なり得る、ＵＥによって使用される各ＰＤＮ接続のＳＭクラス、および、ベースラインのＭＡ情報とは異なり得る承認済ＭＡ情報）を決定し、承認済モビリティ情報を制御ノードに送信する。
【００２３】
承認済ＭＭ／ＳＭクラスは、ＵＥの登録時およびそれらが変更されるときはいつでもＴＨＦ５０４ａに送信されてよい。ＴＨＦ５０４ａは、ＰＣノード５０８から受信したままの承認済ＭＭクラスを実施してよい。新たなＳＭクラスは、新たなＰＤＮ接続ごとにＰＣノード５０８によって作成され、可能な場合調整されてもよい。いくつかの実施形態では、無線ベアラのセットアップにおいて、接続モードに入った場合、ＴＨＦ５０４ａは、ＰＤＵセッションごとの必要なサポートレベル（すなわち、ＰＤＵセッションが可能なハンドオーバーに含まれるか）についてＲＡＮに通知する。ＰＣノード５０８から動的に変化したＳＭクラスによって、これは接続モードの間にも行われてよい。
【００２４】
いくつかの実施形態では、異なるＰＤＮ接続に対して異なるサービスレベルを使用することは、全てのＰＤＮ接続が、接続モードモビリティにおけるリソースのプレセットアップに必ずしも含まれないことを意味する。いくつかの実施形態では、ＴＨＦは、必要なサポート（すなわち、モビリティにおけるＰＤＮ接続がプレセットアップされるべきかどうか）についてＲＡＮに通知する。ＴＨＦは、接続モードに入った場合、無線ベアラのセットアップにおける必要なサポートについてＲＡＮに知らせ得る。いくつかの実施形態では、ＮＧ ＰＣは、ＭＭクラスおよびＳＭクラスを動的に変更してもよいため、変更されたサポートレベルについて、接続モードの間にＲＡＮに通知することも可能であるべきである。結果として、接続モードのＵＥは、ハンドオーバーが終了した後に、特定のＰＤＮ接続（すなわち、ハンドオーバーに含まれていなかったもの）に対する無線ベアラのセットアップをリクエストすることもできるべきである。
【００２５】
図６は、図６に示すシステムのような無線通信システムを用いた実施形態のシーケンス図を示している。
【００２６】
ステップ６０１．ＵＥは、（例えば、サービスに基づく）ＩＰアンカー要件およびＵＥ能力（移動中の複数のＩＰアドレスのサポート）をＴＨＦに送信してよい。
【００２７】
ステップ６０２．ＴＨＦは、ＳＤＭからの加入値（例えば、ベースラインモビリティ情報）をリクエストする。
【００２８】
ステップ６０３．そして、ＴＨＦは、承認済モビリティ情報（例えば、承認済ＭＭクラス、ＵＥによって現在使用されている各ＰＤＮ接続に対する承認済ＳＭクラス、および／または承認済ＭＡ情報）についてのリクエストをＰＣノードに送信する。承認済モビリティ情報についてＰＣノードに送信されるリクエストは、ＰＣノードへの（ＴＨＦによってＵＥから取得された）リクエストパラメータおよび（ＴＨＦによってＳＤＭから取得された）加入値を含んでよい。ＰＣノードへのリクエストはまた、ＵＥの現在位置を識別する位置情報などのコンテキスト情報を含んでよい。そして、ＰＣノードは、ＵＥの承認済モビリティ情報（例えば、承認済ＭＭコール、ＰＤＮごとの承認済ＳＭクラス、およびＭＡ情報）を決定する。この判定は、ポリシーとコンテキスト情報とに基づいてよい。
【００２９】
ステップ６０４．ＰＣノードは、決定した承認済モビリティ情報を制御ノードに送信する。続いて、ＰＣノードは、順に特定のＰＤＮ接続に対する承認済ＳＭクラスを更新し得る進行中のサービスを検出してもよい。そして、ＰＤＮ接続に割り当てられた新たな承認済ＳＭクラスを識別する情報は、制御ノードがＰＤＮ接続に割り当てられた新たな承認済ＳＭクラスに基づいて任意の適切なアクションをとることができるように、ＰＣノードによって制御ノードに（例えばＴＨＦを介してＣＨＦ−Ｃに）送信される（例えば、ＰＤＮ接続のための新たな承認済クラスを識別する情報の受信は、新たな承認済ＳＭクラスと、新たな承認済ＳＭクラスが適用されるＰＤＮ接続の一部であるＰＤＵセッションとを示す情報を含む制御メッセージを、ＵＥにサービスするアクセスポイントに送信するように制御ノードをトリガし得る）。
【００３０】
いくつかの実施形態では、サービスエリアの制限されていない部分内でのみネットワークにアクセスすることが許可されているＵＥに対して、ＴＨＦは、許可エリア（ＴＡ、セル、アクセスポイントカバレージエリア、アクセスポイント等）についてＵＥに通知してもよい。上述したように、ＴＨＦは、許可エリア情報を、ＵＥの加入者情報に含まれるＭＡ情報からまたはＰＣノードから取得してよい。一例として、許可領域のリストは、ＴＨＦ内において、ＵＥの初期登録時に（すなわち、アタッチまたはＴＡＵ間の受け入れ時に）ホワイトリストまたはブラックリストとしてＵＥに送信されてもよい。この例では、不要な登録の試行を回避し得る。いくつかの実施形態では、ホワイトリストは承認済地理的エリアを提供し、ブラックリストは制限された地理的エリアを提供する。
【００３１】
サービスレベルのセッション継続性を有するＰＤＮ接続のみを有する、接続モードのＵＥに対しては、モビリティにおけるリソースのプレセットアップは必要とされない。そのような場合、ＴＨＦは、これらのリソースのプレセットアップが許可されていないこと、したがって、例えばハンドオーバーをトリガしていないことをＲＡＮに通知しなければならない。「モビリティ無し」のＳＭクラスの場合、ＴＨＦは、ハンドオーバーがＴＡＩリストのエリア内でのみ許可されることをＲＡＮに通知するために、ＨＲＬ（ハンドオーバー制限リスト）内のホワイトリストを使用してもよい。他の例では、許可エリアについてＲＡＮに通知することは、低および中間モビリティの実施のためにも使用され得る。
【００３２】
いくつかの実施形態において、ＴＨＦはまた、許可エリアについてＲＡＮに通知してもよい。すなわち、ＴＨＦがＵＥの許可エリアを（直接的または間接的に）識別するホワイトリストまたはブラックリストをＵＥに送信するのと同様に、ＴＨＦは、ＵＥの許可エリアを（直接または間接的に）識別するホワイトリストまたはブラックリストをＲＡＮノードに送信してもよい。いくつかの実施形態において、上述の実施はローミングする加入者にも適用可能である。
【００３３】
図７は、アタッチにおけるＩｏＴ ＵＥのエリア制限制御のためのＭＭクラスおよびＳＭクラスの使用について、実施形態のシーケンス図を示している。例えば、図７は、アタッチの手続きにおいて、ＩｏＴ ＵＥがネットワークに接続する場合にどのようにＭＭクラスおよびＳＭクラスが使用されるかを示す。
【００３４】
ステップ７００．アタッチリクエストは、ＣＣＦ内のＴＨＦで遮られる。
【００３５】
ステップ７０２．ベースラインＭＭクラス、ベースラインＳＭクラス、およびベースラインＭＡ情報のうちの１つ以上を含み得るＳＤＭから、ＵＥの加入者情報がフェッチされる。
【００３６】
ステップ７０３．ＴＨＦは、適用することが可能なポリシーをＰＣノードに要求し、承認された値がＴＨＦに送り返される。ステップ７０３でＰＣノードに送信されたリクエストは、ステップ７０２で取得された加入者情報（例えば、取得されたベースラインＭＭクラス、ＳＭクラス、およびＭＡ情報）を含んでよい。
【００３７】
ステップ７０４．ＴＨＦは承認された値をＣＨＦ−Ｃに送信し、ＴＨＦは承認済モビリティ・オン・デマンド（ＭｏＤ）情報（すなわち、承認済ＭＭクラスおよび／または承認済ＳＭクラス）を使用する。
【００３８】
ステップ７０５．ＭｏＤ情報が使用される。
【００３９】
ステップ７０６．ＴＨＦは、承認されたまたはベースラインのＭＡ情報（例えば、上述のようにブラックリストまたはホワイトリスト）を含むアタッチ・アクセプト・メッセージをＵＥに送信する。
【００４０】
この例では、モビリティ無し情報がＲＡＮに送信される。更に、ハンドオーバーは使用されないため（例えば、ＳＭクラスはＰＤＮ接続無し）、エリア制限は不要である。
【００４１】
図８は、アタッチ手続きにおいて固定無線アクセス（ＦＷＡ）のＵＥがネットワークに接続する場合に、どのようにＭＭクラスおよびＳＭクラスが使用されるかについて、実施形態のシーケンス図を示している。
【００４２】
ステップ８００．アタッチリクエストは、ＣＣＦ内のＴＨＦで遮られる。
【００４３】
ステップ８０２．ベースラインＭＭクラス、ベースラインＳＭクラス、およびベースラインＭＡ情報のうちの１つ以上を含み得るＳＤＭから、ＵＥの加入者情報がフェッチされる。
【００４４】
ステップ８０３．ＴＨＦは、適用することが可能なポリシーをＰＣノードに要求し、承認された値がＴＨＦに送り返される。ステップ８０３でＰＣノードに送信されたリクエストは、ステップ８０２で取得された加入者情報（例えば、取得されたベースラインＭＭクラス、ＳＭクラス、およびＭＡ情報）を含んでよい。
【００４５】
ステップ８０４．ＴＨＦは承認済ポリシー値をＣＨＦ−Ｃに送信する。
【００４６】
ステップ８０５．ＴＨＦは、承認済ＭｏＤポリシー（すなわちＭＭクラスおよびＳＭクラス）を実施する。
【００４７】
ステップ８０６．ＴＨＦは、承認されたまたはベースラインのＭＡ情報（例えば、上述のようにブラックリストまたはホワイトリスト）をＲＡＮに送信する。ＲＡＮはハンドオーバーを開始する責任を負うため、ＲＡＮは、ハンドオーバーがトリガされることを許可する場合に、許可される地理的エリアを考慮しなければならない。
【００４８】
ステップ８０７．ＴＨＦは、承認されたまたはベースラインのＭＡ情報（例えば、上述のようにブラックリストまたはホワイトリスト）を含むアタッチ・アクセプト・メッセージを送信する。
【００４９】
図９は、アタッチ手続きにおいてモバイルブロードバンド（ＭＢＢ）のＵＥがネットワークに接続する場合に、どのようにＭＭクラスおよびＳＭクラスが使用されるかについて、実施形態のシーケンス図を示している。
【００５０】
ステップ９００．アタッチリクエストは、ＣＣＦ内のＴＨＦで遮られる。
【００５１】
ステップ９０２．加入者データがＭＭクラスとＳＭクラスとを含むＳＤＭからフェッチされる。
【００５２】
ステップ９０３．ＴＨＦは、適用することが可能なポリシーをＰＣノードに要求し、承認された値がＴＨＦに送り返される。
【００５３】
ステップ９０４．ＴＨＦは承認済ポリシー値をＣＨＦ−Ｃに送信する。
【００５４】
ステップ９０５．ＴＨＦは、承認済モビリティ・オン・デマンド（すなわちＭＭクラスおよびＳＭクラス）を実施する。
【００５５】
ステップ９０６．ＴＨＦはアタッチ・アクセプト・メッセージをＲＡＮに送信する。
このシナリオでは、ハンドオーバーのために適用される制限が無いため、何ら実施指令はＲＡＮに送信されない。これに関して、ＴＨＦは、モビリティ・オン・デマンドのための制限が適用されないため（例えば、ＭＭクラスが高い）、なんらの許可地理的エリアもＵＥに示さない。
【００５６】
図１０は、いくつかの実施形態に従うモビリティ実施のプロセスの例を示す。ステップ１００２において、ＵＥは、メッセージ（例えば、トラッキングエリア更新メッセージなどの制御プレーンメッセージ）を制御ノード（例えば制御ノード５０４）に送信する。ここで、この制御ノードを、以前にＵＥにサービスを提供した制御ノード（この制御ノードは「以前の」制御ノードとして参照される）と区別するために、「新規」制御ノードと呼ぶ。ステップ１００４において、新規制御ノードは、以前の制御ノードにコンテキストリクエストを送信し、以前の制御ノードは、ＵＥに対して確立されているＰＤＮ接続を識別するコンテキストレスポンスを送信する。ステップ１００６において、新規制御ノードはコンテキストレスポンスを受信する。ステップ１００８（これはステップ１００４の前に行われてもよい）において、新規制御ノードは、ＵＥに関連付けられた加入者情報についてのリクエストを、加入者情報ストレージノード（この例ではノードはＳＤＭノードである）に送信する。上述したように、ある実施形態では、この加入者情報は、ベースラインＭＭクラスを識別するＭＭクラス識別子と、ベースラインＳＭクラスを識別するＳＭクラス識別子とを含むベースラインモビリティ情報を含む。ベースラインモビリティ情報はまた、上述のようにＭＡ情報（例えば、ホワイトリストまたはブラックリスト）を含んでよい。ＳＤＭは、リクエストに応じて、リクエストされた加入者情報を取得し、それを新規制御ノードに送信する。ステップ１０１０において、新規制御ノードは加入者情報を受信する。
【００５７】
ステップ１０１２において、新規制御ノードは、ポリシーの決定についてのリクエストをＰＣノードに送信する。いくつかの実施形態では、ポリシーの決定についてのリクエストは、ＰＤＮ接続を識別する情報とベースラインモビリティ情報とを含む。いくつかの実施形態では、リクエストは更に、ＩＰの維持プリファレンス（この情報は、ステップ１００２で送信されたメッセージに含まれていてもよい）を識別する情報などの、新規制御ノードがＵＥから受信した情報を含んでよい。更に、リクエストは上述したようなコンテキスト情報を含んでよい。
【００５８】
ステップ１０１４において、要求を受信したことに応じて、いくつかの実施形態では、識別されたＰＤＮ接続のそれぞれに対して、ＰＣノードは、予め定められたＳＭクラスの組から承認済ＳＭクラスを選択し、選択されたＳＭクラスをＰＤＮ接続に割り当てる。更に、ＰＣノードは承認済ＭＭクラスと承認済ＭＡ情報とを選択してもよい。これらのＰＣノードによる選択は、存在する場合にはポリシーとコンテキスト情報とに基づいてよい。
【００５９】
ステップ１０１６において、ＰＣノードはその後、ポリシーの決定結果を、新規制御ノードに送信する。すなわち、いくつかの実施形態では、ＰＣノードは、承認済モビリティ情報（例えば、承認済ＭＭクラス、承認済のＰＤＮごとのＳＭクラス、および承認済ＭＡ情報）を含むメッセージを新規制御ノードに送信し、メッセージは新規制御ノードによって受信される。
【００６０】
この例では、ポリシーの決定を受信した後、新規制御ノードは、少なくとも１つのグループのＰＤＵセッションを示すメッセージをＲＡＮノードに送信する。ここで、承認済ＳＭクラスは、ＰＤＵセッションに割り当てられている（すなわち、ＰＤＵセッションのグループが属すＰＤＮ接続に割り当てられる）（ステップ１０１８）。例えば、いくつかの実施形態では、ポリシーの決定を受信した後、新規制御ノードは、ＰＤＮ接続のうちのいずれかが特定のＳＭクラス（例えば、「セッション連続」クラスまたは「シームレス連続」クラス）に割り当てられたかどうかを判定する。そして、特定のＳＭクラスがＰＤＮ接続に割り当てられていると判定した結果として、新規制御ノードは、特定のＳＭクラスが割り当てられているＰＤＮ接続と関連付けられているＰＤＵセッションを識別する情報と、特定のＳＭクラスがＰＤＵセッションに割り当てられていることを示す情報とを含むメッセージをＲＡＮノードに送信する。より具体的には、ある例では、ＰＤＵセッションの特定のＳＭクラスが「セッション連続」クラスである場合、ＲＡＮノードに送信されるメッセージは、ＰＤＵセッションについて、モビリティにおけるリソースのプレセットアップが必要ないことを示す情報を含んでよい。
【００６１】
更に、この例では、ポリシーの決定を受信した後、新規制御ノードは、ベースラインＭＡ情報または承認済ＭＡ情報を含むメッセージをＵＥに送信する（ステップ１０２０）。
【００６２】
図１１は実施形態のプロセスを示す。いくつかの実施形態では、プロセスはＣＣＦ５０４などの制御ノードによって実行される。プロセスは、ノードが、無線通信デバイス（ＷＣＤ）によって送信される第１の制御プレーンメッセージ（例えば、ＰＤＮ接続リクエスト有りまたは無しのアタッチリクエスト、トラッキング・エリア・アップデート（ＴＡＵ）、サービスリクエスト等）を受信するステップ１１００から開始し得る。第１の制御プレーンメッセージを受信したことに応じて、（ステップ１１０２）プロセスは、ＷＣＤのモビリティ情報（例えば、許可トラッキングエリア（ＴＡ）、セル、無線アクセスネットワーク（ＲＡＮ）カバレージエリア、および／またはアクセスポイントをリストするホワイトリスト、または禁止ＴＡ、セル、ＲＡＮカバレージエリア、および／またはアクセスポイントをリストするブラックリスト）を取得することを含み、ＷＣＤのモビリティ情報は、１つ以上の許可領域（１つ以上のＴＡ、１つ以上のセル、１つ以上のアクセスノードのカバレージエリア）の組、１つ以上の許可無線アクセス技術（ＲＡＴ）の組、および１つ以上のアクセスポイントの組、の少なくとも１つを（直接的または間接的）に識別する。ステップ１１０４において、ノードはレスポンスメッセージをＷＣＤに送信する。ここで、レスポンスメッセージは、許可領域の組と、許可ＲＡＴの組と、１つ以上のアクセスポイントの組と、の少なくとも１つを（直接的または間接的に）識別する。
【００６３】
図１２は実施形態のプロセスを示す。いくつかの実施形態では、プロセスは、ＣＣＦ５０４などの制御ノードによって実行され、更に、モビリティ情報を取得するステップを定義する（ステップ１１０４）。ステップ１２００では、ノードはＷＣＤに関連付けられた加入者情報を取得する。ステップ１２０２では、ノードは、モビリティ情報に対するリクエストをポリシーノードにフォワードする。ここで、モビリティ情報に対するリクエストは取得された加入者情報を含み、ポリシーノードはモビリティ情報を生成するために加入者情報を使用するように構成される。ステップ１２０４では、ノードはモビリティ情報をポリシーノードから受信する。
【００６４】
図１３は、ＣＣＦ５０４またはＰＣノード５０８などの例示的なネットワークノードのブロック図を示している。図１３に示すように、ネットワークノードは、１つ以上のプロセッサ１３５５（たとえば、１つ以上の汎用マイクロプロセッサおよび／または、特定用途向け集積回路（ＡＳＩＣ）として、フィールドプログラマブルゲートアレイ（ＦＰＧＡ）、論理回路などの１つ以上の回路）を含み得るコンピュータシステム（ＣＳ）１３０２、ネットワークノードをネットワークに接続する際に使用するネットワークインターフェース１３０３、および、１つ以上の不揮発性ストレージデバイスおよび／または１つ以上の揮発性ストレージデバイス（例えば、ランダムアクセスメモリ（ＲＡＭ））を含み得るデータ・ストレージ・システム１３０６を含み又はこれらから構成され得る。ネットワークノードがマイクロプロセッサを含む実施形態では、コンピュータプログラム製品（ＣＰＰ）１３３３が提供され得る。ＣＰＰ１３３３は、コンピュータ可読命令（ＣＲＩ）１３４４を含むコンピュータプログラム（ＣＰ）１３４３を格納するコンピュータ可読媒体（ＣＲＭ）１３４２を含むか、当該コンピュータ可読媒体である。ＣＲＭ１３４２は、これに限定されないが、磁気媒体（例えばハードディスク）、光学媒体（例えばＤＶＤ）、固体デバイス（例えばランダムアクセスメモリ（ＲＡＭ）、フラッシュメモリ）などの非一時的コンピュータ可読媒体である。いくつかの実施形態では、コンピュータプログラム１３４３のＣＲＩ１３４４は、コンピュータシステム１３０２によって実行されたときに、ネットワークノードに、上述のステップ（例えば、図面に示したフローチャートおよびメッセージフローを参照して上述したステップ）を実行させるように構成される。他の実施形態では、ネットワークノードは、コンピュータプログラムを必要とせずに、ここに記載されたステップを実行するように構成されてよい。すなわち、例えば、コンピュータシステム１３０２は単に１つまたは複数のＡＳＩＣから構成されてもよい。したがって、ここに記載の実施形態の特徴は、ハードウェアおよび／またはソフトウェアで実施することができる。
【００６５】
ここで開示される実施形態は、（ｉ）ハンドオーバーのための「許可モビリティエリア」と、これを接続モードであっても動的に変更する可能性を与える、ＴＨＦからＲＡＮへのモビリティホワイトリストと、（ｉｉ）登録試行のための「許可モビリティエリア」およびこれを接続モードにおいても動的に変更する可能性を与えるＴＨＦからＵＥへのモビリティホワイトリストと、（ｉｉｉ）ＵＥレベルで適用可能であり、これを接続モードでも動的に変更することが可能なＴＨＦからＲＡＮへのハンドオーバー不許可指示、（ｉｖ）個々のＰＤＵセッション毎に適用可能であり、これを接続モードにおいても動的に変更することが可能なＴＨＦからＲＡＮへのハンドオーバー不許可指示、（ｖ）接続モードにあるＵＥが、まだアクティブではないＰＤＵセッションのセットアップを選択的に要求する可用性、の１つ以上を含む加入者のモビリティ実施のためのメカニズムを提供する。実施形態は、非ローミングシナリオおよびローミングシナリオの両方に適用可能である。
【００６６】
ここに開示された実施形態の利点は、サービングノードのサービスエリアの一部のみにおいてＵＥのアクセスをどのように許可にするかについての効率的な解決策を含む。さらなる利点は、ＵＥからの不要な登録の試行、許可されていないエリアへのハンドオーバー試行の回避、および適切なサービスレベルが登録されたＰＤＵセッションのみに対するハンドオーバーの試行を含む。さらなる利点は、他のセッションのために接続モードにある間にも、ＰＤＵセッションの一部だけをセットアップするためのＵＥからの選択的なサービス要求を含む。ここに開示された実施形態は、異なるサービスレベルの要求に対する加入を提供し、異なるサービスレベルに紐づく規則を実施するための方法を、オペレータに与える。ここに開示された実施形態はさらに、価格侵食を回避し、同一のノード機能によってサービス提供される異なる加入者のカテゴリに対してライセンスを提供する方法を、ベンダーに与える。
【００６７】
本開示の様々な実施形態がここで説明されたが、それらは例示の目的のみのために提示され、限定ではないことが理解されるべきである。したがって、本開示の広さおよび範囲は、上述の例示的な実施形態のいずれによっても限定されるべきではない。さらに、その全ての可能な変形形態における上記の要素の任意の組み合わせは、本明細書で別段の指示がない限りまたは文脈によって明らかに矛盾しない限り、本開示に包含される。更に、本願におけるノードという語は、エンティティとしても理解可能であることが理解される。
【００６８】
加えて、上述し、図面に示したプロセスが一連のステップとして示されているが、これは単に例示の目的で行われたものである。従って、いくつかのステップが追加されてもよく、いくつかのステップが省略されてもよく、ステップの順序が並べ替えられてもよく、いくつかのステップが並行して実行されてもよいものと考慮される。
【００６９】
実施形態の簡単な説明
１．モビリティの実施のための方法であって、方法は、
無線通信デバイス（ＷＣＤ）によって送信される第１の制御プレーンメッセージ（例えば、ＰＤＮ接続リクエスト有りまたは無しのアタッチリクエスト、トラッキング・エリア・アップデート（ＴＡＵ）、サービスリクエスト等）を受信することと、
第１の制御プレーンメッセージを受信したことに応じて、
ＷＣＤのモビリティ情報（例えば、許可トラッキングエリア（ＴＡ）、セル、無線アクセスネットワーク（ＲＡＮ）カバレージエリア、および／またはアクセスポイント、をリストするホワイトリスト、または禁止ＴＡ、セル、ＲＡＮカバレージエリア、および／またはアクセスポイントをリストするブラックリスト）を取得することを含み、 ＷＣＤのモビリティ情報は、１つ以上の許可領域（１つ以上のＴＡ、１つ以上のセル、１つ以上のアクセスノードのカバレージエリア）の組、１つ以上の許可無線アクセス技術（ＲＡＴ）の組、および１つ以上のアクセスポイントの組、の少なくとも１つを（直接的または間接的）に識別し、
ＷＣＤにレスポンスメッセージを送信することであって、ここでレスポンスメッセージは、許可領域の組と、許可ＲＡＴの組と、１つ以上のアクセスポイントの組と、の少なくとも１つを（直接的または間接的に）識別する、送信することと、を含む手続きを実行する。
【００７０】
２．実施形態１の方法では、モビリティ情報を取得するステップは、承認済モビリティ情報をポリシーノードから取得することを含む。
【００７１】
３．実施形態２の方法であって、ポリシーノードから承認済モビリティ情報を取得することのステップは、
ＷＣＤに関連付けられた加入者情報を取得することであって、加入者情報はベースラインモビリティ情報を含む（または当該ベースライン情報から成る）、取得することと、
承認済モビリティ情報に対するリクエストをポリシーノードにフォワードすることであって、承認済モビリティ情報に対するリクエストは取得された加入者情報を含み、ポリシーノードは承認済モビリティ情報を生成するように構成される（例えば、ポリシーノードはポリシーとコンテキスト情報とを用いて認証済モビリティ情報を選択することによって認証済モビリティ情報を生成し得る）、フォワードすることと、
ポリシーノードから承認済モビリティ情報を受信することと、を含む、方法。
【００７２】
４．実施形態１に記載の方法であって、取得された加入者情報はベースラインモビリティ情報を含み、
モビリティ情報を取得することのステップはＷＣＤの加入者情報を取得することを含む、方法。
【００７３】
５．実施形態４に記載の方法であって、加入者情報はベースラインモビリティ情報を含む、方法。
【００７４】
６．実施形態４または５の方法であって、モビリティ情報を取得することのステップは更に、ポリシーノードに、取得されたＷＣＤの加入者情報を送信し、その後、モビリティ情報をポリシーノードから受信することを含む、方法。
【００７５】
７．実施形態３、４または６に記載の方法であって、加入者情報は、
ベースライン・モビリティ・マネージメント（ＭＭ）クラスの予め定められた組の１つを識別するＭＭ情報と、
ベースライン・セッション・マネージメント（ＳＭ）クラスの予め定められた組の１つを識別するＳＭ情報と、を含む、方法。
【００７６】
８．実施形態７に記載の方法であって、モビリティ者情報は、
承認済ＭＭクラスを識別するＭＭ情報と、
１つ以上の承認済ＳＭクラスを識別するＳＭ情報と、を含む、方法。
【００７７】
９．実施形態２、３、および６から８のいずれか１項に記載の方法であって、
当該方法は更に、ポリシーノードが、ＷＣＤのために現在セットアップされているＰＤＮ接続の承認済ＳＭクラスを選択することを含み、
モビリティ情報はＰＤＮ接続のために選択されたＳＭクラスを識別するＳＭクラス識別子を含む、方法。
【００７８】
１０．実施形態９に記載の方法であって、ＷＣＤのために現在セットアップされているＰＤＮ接続の承認済ＳＭクラスを選択することのステップは、コンテキスト情報に基づく前記選択を実行することを含む、方法。
【００７９】
１１．実施形態１０に記載の方法であって、コンテキスト情報は、
ＷＣＤの位置を識別する位置情報、および現在時刻を識別する時刻情報の１つ以上を含む、方法。
【００８０】
１２．実施形態１から１０のいずれか１つに記載の方法であって、手続きは更に、
ＷＣＤに現在サービングするＲＡＮノードに、許可領域の組と、許可ＲＡＴの組と、１つ以上のアクセスポイントの組との少なくとも１つを（直接的または間接的に）識別するメッセージを送信すること、を含む、方法。
【００８１】
１３．実施形態１から１２のいずれか１つに記載の方法であって、
ＷＣＤは、少なくとも１つのＰＤＮ接続を現在使用しており、ＰＤＮ接続は、１つ以上のＰＤＵセッションの組と関連付けられ、
ＷＣＤの取得されたモビリティ情報は、ＰＤＮ接続のための承認済ＳＭクラスを含み、
手続きは更に、
ＰＤＮ接続の前記ＳＭクラスが特定のＳＭクラスであるかを判定することと、
ＰＤＮ接続のＳＭクラスが特定のＳＭクラスであるかを判定した結果として、モビリティにおけるリソースのプレセットアップがＰＤＵセッションのいずれにも要求されないことを示すメッセージを、ＲＡＮノードに送信することと、を含む、方法。
【００８２】
１４．実施形態１３に記載の方法であって、更に、リソースのプレセットアップの対象とならないＳＭクラスに割り当てられるベアラのセットアップのためのＵＥの接続モードにおいて、ＵＥからリクエストを受信することを含む、方法。
【００８３】
１５．実施形態７に記載の方法であって、ＳＭクラスの予め定められた組は、（許可領域における制限が増加する順に）（ｉ）無制限モビリティクラス、（ｉｉ）中間モビリティクラス、（ｉｉｉ）低モビリティクラス、および（ｉｖ）モビリティ無しクラス、の１つ以上を含む、方法。
【００８４】
１６．実施形態７に記載の方法であって、ＳＭクラスの予め定められた組は、（ｉ）シームレス連続クラス、（ｉｉ）サービス連続クラス、（ｉｉｉ）セッション連続クラス、および（ｉｖ）ＰＤＮ接続無しクラス、の１つ以上を含む、方法。
【００８５】
１７．実施形態１から１６のいずれか１つに記載の方法を実行するように構成される制御ノード。
【００８６】
１８．実施形態１から１６のいずれか１つに記載の方法を実行する命令を含むコンピュータプログラム。
【００８７】
略語
ＣＣＦ    コア制御機能（Core Control Function）
ＣＨＦ    制御処理機能（Control Handling Function）（ＮＧ コア制御の一部）
ＣＨＦ−Ｃ    制御処理機能の制御プレーン（Control Handling Function Control Plane）（ＣＨＦの一部）
ＣＨＦ−Ｕ    制御処理機能のユーザプレーン（Control Handling Function User Plane）（ＣＨＦの一部）
ＥＰＧ    進化パケットコア（Evolved Packet Core）
ＦＷＡ    固定無線アクセス（Fixed Wireless Access）
ＨＲＬ    ハンドオーバー制限リスト（Handover Restriction list）
ＩｏＴ    インターネット・オブ・シングス（Internet of Things）
ＬＴＥ    ロング・ターム・エボリューション（Long Term Evolution）（４Ｇモバイルネットワーク）
ＭＡ    モビリティエリア（Mobility Area） 
ＭＢＢ    モバイルブロードバンド（Mobile Broadband）
ＭＭ    モビリティマネージメント（Mobility Management）
ＭＭＥ    モビリティ・マネージメント・エンティティ（Mobility Management Entity）
ＭＯＤ    モビリティ・オン・デマンド（Mobility On Demand）
ＮＧ    次世代モバイルネットワーク、すなわち５Ｇ
ＮＧ  ＰＣ    次世代ポリシー制御（Next Generation Policy Control）
ＰＣ    ポリシー制御（Policy Control）
ＰＤＮ    パケット・データ・ネットワーク（Packet Data Network）
ＰＤＵ    パケット・データ・ユニット（Packet Data Unit）
ＰＧＷ    パケットゲートウェイ（Packet Gateway）
ＲＡＮ    無線アクセスノード（Radio Access Node）
ＲＡＴ    無線アクセス技術（Radio Access Technology）
ＳＤＭ    加入者データマネージメント（Subscriber Data Management）
ＳＭ    セッションマネージメント（Session Management）
ＴＡ    トラッキングエリア（Tracking Area）
ＴＡＵ    トラッキングエリア更新（Tracking Area Update）
ＴＨＦ    トラフィック処理機能（Traffic Handling Function）（ＮＧ コア制御の一部）
ＵＥ    ユーザ装置（User Equipment）
ＷＣＤ    無線通信デバイス（Wireless Communication Device）
【図１】
2019515554.tif 000003
【図２】
2019515554.tif 000004
【図３】
2019515554.tif 000005
【図４】
2019515554.tif 000006
【図５】
2019515554.tif 000007
【図６】
2019515554.tif 000008
【図７】
2019515554.tif 000009
【図８】
2019515554.tif 000010
【図９】
2019515554.tif 000011
【図１０】
2019515554.tif 000012
【図１１】
2019515554.tif 000013
【図１２】
2019515554.tif 000014
【図１３】
2019515554.tif 000015
【国際調査報告】
2019515554.tif 000016
2019515554.tif 000017
2019515554.tif 000018